(57)【要約】【課題】ユーザにとって適切な照明光色を設定する。【解決手段】実施形態における照明光色制御装置は、人が照明光色に抱く心理影響要素の重み付けを複数種類のモードについてそれぞれ示す心理影響パラメータ係数と、人が照明光色に抱く心理影響要素の度合いを複数の照明光色についてそれぞれ示す心理影響パラメータテーブルとを記憶装置に記憶し、人の心理的な状態や気分、あるいは人がこれから行動しようとしている状態に対応するモードの設定を受け付け、心理影響パラメータ係数および心理影響パラメータテーブルに基づいて、設定したモードにおける、複数の照明光色の心理影響度をそれぞれ算出する影響度算出手段と、前記影響度算出手段により算出した心理影響度に基づいて、設定したモードに適した照明光色を抽出する照明光色抽出手段とを有する。【選択図】図１
2018142486.tif 000002
【特許請求の範囲】
【請求項１】
人が照明光色に抱く心理影響要素の重み付けを示す心理影響パラメータ係数を複数種類のモードについてそれぞれ記憶する心理影響パラメータ係数記憶手段と、
人が照明光色に抱く心理影響要素の度合いを示す心理影響パラメータテーブルを複数の照明光色についてそれぞれ記憶する心理影響パラメータテーブル記憶手段と、
人の心理的な状態や気分、あるいは人がこれから行動しようとしている状態に対応するモードの設定を受け付けるモード設定手段と、
前記心理影響パラメータ係数記憶手段に記憶された心理影響パラメータ係数、および、前記心理影響パラメータテーブル記憶手段に記憶された心理影響パラメータテーブルに基づいて、前記設定したモードにおける、前記複数の照明光色の心理影響度をそれぞれ算出する影響度算出手段と、
前記影響度算出手段による算出した心理影響度に基づいて、前記設定したモードに適した照明光色を抽出する照明光色抽出手段と
を具備した照明光色制御装置。
【請求項２】
前記照明光色抽出手段は、
前記影響度算出手段により算出した値が近接して高い複数の前記心理影響度に対応する複数の照明光色を、前記適した照明光色として抽出し、
前記照明光色抽出手段により抽出した複数の照明光色に基づいて、前記設定したモードに適した適切な１つの照明光色のＲＧＢ値を決定する照明光色決定手段をさらに具備した
請求項１に記載の照明光色制御装置。
【請求項３】
照明機器の利用に関わる環境、前記照明機器を利用する人の属性、あるいは前記照明機器を利用する人の生体情報の少なくとも１種類を示す外部情報を記憶する外部情報記憶手段をさらに具備し、
前記影響度算出手段は、
前記外部情報記憶手段に記憶される外部情報を取得し、
前記心理影響パラメータ係数、前記心理影響パラメータテーブル、および前記外部情報記憶手段から取得した外部情報に基づいて、前記照明光色毎の心理影響度を算出する
請求項１または請求項２に記載の照明光色制御装置。
【請求項４】
照明光色制御装置に適用される方法であって、
人が照明光色に抱く心理影響要素の重み付けを複数種類のモードについてそれぞれ示す心理影響パラメータ係数、および、人が照明光色に抱く心理影響要素の度合いを複数の照明光色についてそれぞれ示す心理影響パラメータテーブルを記憶装置に記憶しておき、
人の心理的な状態や気分、あるいは人がこれから行動しようとしている状態に対応するモードの設定を受け付け、
前記心理影響パラメータ係数、および、前記心理影響パラメータテーブルに基づいて、前記設定を受け付けたモードにおける、前記複数の照明光色の心理影響度をそれぞれ算出し、
前記算出した心理影響度に基づいて、前記設定したモードに適した照明光色を抽出する
照明光色制御方法。
【請求項５】
請求項１に記載の照明光色制御装置の一部分として動作するコンピュータに用いられるプログラムであって、
前記コンピュータを、
前記心理影響パラメータ係数記憶手段、前記心理影響パラメータテーブル記憶手段、前記モード設定手段、前記影響度算出手段、および前記照明光色抽出手段
として機能させるための照明光色制御処理プログラム。
【発明の詳細な説明】
【技術分野】
【０００１】
本発明の実施形態は、照明光色制御装置、照明光色制御方法、および照明光色制御処理プログラムに関する。
【背景技術】
【０００２】
LED（発光ダイオード）の普及により、照明に採用され、有彩色での照明発光が可能となった。また、ECHONET Lite（非特許文献１参照）に代表されるように、ネットワーク経由で家電を操作できるようになり、照明の発光色もECHONET Liteを使って設定制御できるようになった。非特許文献１には照明クラスの発光制御に関する規定がなされている。
【０００３】
一方で、有彩色の照明光が人に与える影響が知られている。非特許文献２によれば、青色は沈静的に働きかけ、赤色は、やや緊張や興奮が高まるが目が疲れやすい、といった、有彩色における生理的・心理的な影響について報告されている。
【先行技術文献】
【特許文献】
【０００４】
【特許文献１】特開２０１６−７１７７号公報
【非特許文献】
【０００５】
【非特許文献１】ECHONETコンソーシアム、APPENDIX ECHONET 機器オブジェクト詳細規定、インターネット＜http://echonet.jp/wp/wp-content/uploads/pdf/General/Standard/Release/Release_I_jp/Appendix_Release_I.pdf＞、[２０１７年１月２３日検索］
【非特許文献２】久保博子、井上容子、”有彩色光照明の生理的・心理的影響”、インターネット＜https://www.ieij.or.jp/shibu/kansai/info2008/080714symposium04.pdf＞、[２０１７年１月２３日検索］
【発明の概要】
【発明が解決しようとする課題】
【０００６】
上記のように、照明光と人への影響とに関する関係性が導き出されつつあるが、この関係性に基づいて、人にとって最適な照明光色を自動的に選択して照明に設定するような技術はなかった。特許文献１では、環境と生体から取得した情報とに基づいて、危険状態を回避するために家電を制御する技術が開示されているが、照明光色を具体的に設定する方法については明らかにされていない。
【０００７】
つまり、屋内照明の照明光色を有彩色で設定できるようになった一方で、状況に応じて最適な照明光色を設定することはできない。製品の中には、人が文字をくっきり読みやすいように、照明の色温度や明るさを、予め設定した値に制御するモードを備えたものもあるが、ユーザの心理的な状態や気分に対応したモードは存在しない。また、照明光色をユーザが任意に調整して設定する方法もあるが、ユーザが、その都度調整する作業は煩雑である。
【０００８】
本発明の目的は、ユーザにとって適切な照明光色を制御できる照明光色制御装置、照明光色制御方法、および照明光色制御処理プログラムを提供することである。
【課題を解決するための手段】
【０００９】
上記目的を達成するために、この発明の実施形態における照明光色制御装置の第１の態様は、人が照明光色に抱く心理影響要素の重み付けを示す心理影響パラメータ係数を複数種類のモードについてそれぞれ記憶する心理影響パラメータ係数記憶手段と、人が照明光色に抱く心理影響要素の度合いを示す心理影響パラメータテーブルを複数の照明光色についてそれぞれ記憶する心理影響パラメータテーブル記憶手段と、人の心理的な状態や気分、あるいは人がこれから行動しようとしている状態に対応するモードの設定を受け付けるモード設定手段と、前記心理影響パラメータ係数記憶手段に記憶された心理影響パラメータ係数、および、前記心理影響パラメータテーブル記憶手段に記憶された心理影響パラメータテーブルに基づいて、前記設定したモードにおける、前記複数の照明光色の心理影響度をそれぞれ算出する影響度算出手段と、前記影響度算出手段による算出した心理影響度に基づいて、前記設定したモードに適した照明光色を抽出する照明光色抽出手段とを有する装置を提供する。
【００１０】
上記構成の照明光色制御装置の第２の態様は、第１の態様において、前記照明光色抽出手段は、前記影響度算出手段により算出した値が近接して高い複数の前記心理影響度に対応する複数の照明光色を、前記適した照明光色として抽出し、前記照明光色抽出手段により抽出した複数の照明光色に基づいて、前記設定したモードに適した適切な１つの照明光色のＲＧＢ値を決定する照明光色決定手段をさらに有する装置を提供する。
【００１１】
上記構成の照明光色制御装置の第３の態様は、第１または第２の態様において、照明機器の利用に関わる環境、前記照明機器を利用する人の属性、あるいは前記照明機器を利用する人の生体情報を示す外部情報の少なくとも１種類を記憶する外部情報記憶手段をさらに有し、前記影響度算出手段は、前記外部情報記憶手段に記憶される外部情報を取得し、前記心理影響パラメータ係数、前記心理影響パラメータテーブル、および前記外部情報記憶手段から取得した外部情報に基づいて、前記照明光色毎の心理影響度を算出する装置を提供する。
【００１２】
本発明の実施形態における照明光色制御方法の態様は、照明光色制御装置に適用される方法であって、人が照明光色に抱く心理影響要素の重み付けを複数種類のモードについてそれぞれ示す心理影響パラメータ係数、および、人が照明光色に抱く心理影響要素の度合いを複数の照明光色についてそれぞれ示す心理影響パラメータテーブルを記憶装置に記憶しておき、人の心理的な状態や気分、あるいは人がこれから行動しようとしている状態に対応するモードの設定を受け付け、前記心理影響パラメータ係数、および、前記心理影響パラメータテーブルに基づいて、前記設定を受け付けたモードにおける、前記複数の照明光色の心理影響度をそれぞれ算出し、前記算出した心理影響度に基づいて、前記設定したモードに適した照明光色を抽出する方法を提供する。
【００１３】
本発明の実施形態における照明光色制御処理プログラムの態様は、第１の態様における照明光色制御装置の一部分として動作するコンピュータに用いられるプログラムであって、前記コンピュータを、前記心理影響パラメータ係数記憶手段、前記心理影響パラメータテーブル記憶手段、前記モード設定手段、前記影響度算出手段、および前記照明光色抽出手段として機能させるためのプログラムを提供する。
【発明の効果】
【００１４】
本発明によれば、ユーザにとって適切な照明光色を設定することが可能になる。
【図面の簡単な説明】
【００１５】
【図１】本発明の一実施形態に係る照明光色制御システムの機能構成例を示すブロック図。
【図２】本発明の一実施形態に係る照明光色制御システムによる処理手順の一例を示すフローチャート。
【図３】本発明の一実施形態に係る照明光色制御システムで用いる心理影響パラメータ係数の一例を表形式で示す図。
【図４】本発明の一実施形態に係る照明光色制御システムで用いる心理影響パラメータテーブルの一例を表形式で示す図。
【図５】本発明の一実施形態に係る照明光色制御システムで用いる心理影響パラメータテーブルの値に心理影響パラメータ係数を乗じて合計を算出した例を表形式で示す図。
【図６】本発明の一実施形態に係る照明光色制御システムで用いる心理影響パラメータテーブルの値に心理影響パラメータ係数を乗じて合計を算出した例を表形式で示す図。
【図７】本発明の一実施形態に係る照明光色制御システムで用いる照明光色RGBテーブルの一例を表形式で示す図。
【発明を実施するための形態】
【００１６】
以下、この発明に係わる実施形態を説明する。まず、本発明の実施形態の概要について説明する。  
本発明の実施形態に係る照明光色制御システムは、ユーザが照明光色を意識的に調整することなく、当該ユーザが求める、つまりユーザの心理的な状態や気分に対応する状態、あるいはユーザがこれから行動しようとしている状態（モード）に適した照明光色を設定する制御を行なう。  
この設定を実現するために、照明光色制御システムは、ユーザが求めるモードにおいて、ユーザが照明光色に抱く複数種類の心理的な影響要素（例えば、集中度、眠気、落ち着き、疲労など）に対して重み（心理影響パラメータ係数）を事前に決定しておく。
【００１７】
次に、照明光色制御システムは、事前に用意されたテーブルである、照明光色に対してユーザが抱く心理的な影響要素と、影響の度合を示す値との対応テーブル（心理影響パラメータテーブル）を用いて、このテーブルにおける影響の度合を示す値に対し、上記の重みを心理的な影響要素の種別ごとに乗じた値の合計を照明光色の種別ごとに求め、これら求めた合計のうち最も高い値に対応する照明光色を１つ抽出する。  
複数種類の照明光色にそれぞれ対応する合計値の上位の複数が僅差である場合は、照明光色制御システムは、これら複数種類の値にそれぞれ対応する照明光色を抽出する。
【００１８】
照明光色が１つだけ抽出された場合は、照明光色制御システムは、この照明光色に対応するＲＧＢ値を、予め定めたテーブルから取得し、当該ＲＧＢ値を照明機器４０に対して設定する。例えば、上記のECHONET Lite対応照明であれば、照明光色制御システムは、このECHONET Liteの規定に従った制御コマンドを照明機器４０に送信することによりＲＧＢ値の設定を実現する。
【００１９】
上記の合計値の上位の複数が僅差であるために、複数の照明光色が抽出された場合は、照明光色制御システムは、これらの照明光色を比較評価してＲＧＢ値を決定する。例えば、照明光色制御システムは、ＲＧＢのＲ，Ｇ，Ｂの値にそれぞれ分けて、これらの中間値や平均値など、算術的に１つのＲＧＢ値を決定し、当該ＲＧＢ値を照明機器４０に対して設定する。  
なお、心理影響パラメータ係数と心理影響パラメータテーブルは、実際の照明光色下におけるユーザの心理影響を計測する実験などにより決定される。  
また、これらの心理影響パラメータ係数と心理影響パラメータテーブルは、年齢層や男女などの、ユーザの属性（ユーザ属性）によって異なる可能性がある。さらに、心理影響パラメータ係数と心理影響パラメータテーブルは、上記のユーザ属性以外にも、季節や屋内気温などによっても異なる可能性がある。  
そこで、照明光色制御システムは、ユーザが設定したモードや外部情報として上記の変動の要素を取り入れ、ユーザ属性に応じて心理影響パラメータ係数と心理影響パラメータテーブルを適用したり、外部情報に基づいて心理影響要素のパラメータの重み付けの処理をしたりすることで、ユーザにとって適切な照明光色を実現することもできる。  
上記により、ユーザは具体的に照明を自ら調整することなく、求めるモードを指示するだけで、照明機器に対し、モードに応じた最適な照明光色を設定することが可能となる。
【００２０】
以下、本発明の一実施形態について具体的に説明する。  
図１は、本発明の一実施形態に係る照明光色制御システムの機能構成例を示すブロック図である。図２は、本発明の一実施形態に係る照明光色制御システムによる処理手順の一例を示すフローチャートである。  
図１に示すように、本発明の一実施形態に係る照明光色制御システムは、照明光色制御装置１０と記憶装置２０とを有する。照明光色制御装置１０は、ユーザ端末３０や照明機器４０とネットワーク接続される。
【００２１】
ユーザ端末３０は、スマートフォンやタブレットなど、ネットワークに接続された端末であり、キーボードやマウス、或いはタブレットを使用した入力デバイスと、液晶又は有機ＥＬ（Electro-Luminescence）を用いた表示デバイスが接続される。ユーザ端末３０は、入力デバイスにおいて入力された操作情報を照明光色制御装置１０に与える。
【００２２】
記憶装置２０は、記憶媒体としてＨＤＤ（ハードディスクドライブ）やＳＳＤ（ソリッドステートドライブ）等の随時書込み及び読出しが可能な不揮発性メモリを使用したもので、この実施形態を実施する上で必要な記憶領域として、心理影響パラメータ係数記憶部２１と、心理影響パラメータテーブル記憶部２２と、外部情報記憶部２３と、照明光色ＲＧＢテーブル記憶部２４とを備える。
【００２３】
図３は、本発明の一実施形態に係る照明光色制御システムで用いる心理影響パラメータ係数の一例を表形式で示す図である。  
心理影響パラメータ係数記憶部２１には、図３に示したような心理影響パラメータ係数が記憶される。  
当該心理影響パラメータ係数は、ユーザが求める、あるモードにおいてユーザが照明光色に抱く（感じる）心理影響要素（集中度、眠気、落ち着き、疲労）の重み付けを、各種モードについてそれぞれ表したもので、例えば図３に示したモードＢが勉強モードであれば、集中度を高めて、眠気を低くするように重み付けの値が設定される。この値は、被験者実験などにより求めてもよい。図３に示した例では、重み付けの値は０〜１の範囲内で設定されるが、この範囲は特に限られない。また、図３に示した例では、心理影響要素の種別は、集中度、眠気、落ち着き、疲労の４種類であるが、この種別は特に限られず、例えば、暖かい、涼しい、疲れる、落ち着くといった種別であってもよい。また、この種別の数は３種類以下であっても５種類以上であってもよく、特に限られない。
【００２４】
図４は、本発明の一実施形態に係る照明光色制御システムで用いる心理影響パラメータテーブルの一例を表形式で示す図である。  
心理影響パラメータテーブル記憶部２２には、図４に示すように、代表する色（三原色（赤青緑）など、Color#1、Color#2、Color#3、Color#4、…）ごとに、この照明光色に対する心理的影響要素を人が抱く度合いを各種照明光色について数値でそれぞれ示した心理影響パラメータテーブルが記憶される。
【００２５】
外部情報記憶部２３は、オプションとして設けることが可能であり、照明光色を算出するための外部情報が記憶される。  
照明光色ＲＧＢテーブル記憶部２４は、照明光のＲＧＢ値を決定するための照明光色ＲＧＢテーブルが記憶される。この照明光色ＲＧＢテーブルの詳細については後述する。
【００２６】
照明光色制御装置１０は、中央処理ユニット（Central Processing Unit：ＣＰＵ）を備え、この実施形態を実施する上で必要な処理機能として、設定モード取得部１１と、心理影響パラメータ係数取得部１２と、心理影響パラメータテーブル取得部１３と、生体影響度（心理影響度）算出部１４と、照明光色抽出部１５と、照明光色決定部（照明光色ＲＧＢ決定部）１６と、照明光色発光制御部（照明光色ＲＧＢ発光制御部）１７とを有している。これらの処理機能は何れも図示しないプログラムメモリに格納されたプログラムを上記ＣＰＵに実行させることにより実現される。
【００２７】
まず、ユーザが、望むモードを、ユーザ端末３０を使って入力すると、照明光色制御装置１０の設定モード取得部１１は、当該入力されたモードを取得する（Ｓ１）。この取得は、例えば、照明光色制御装置１０をWebサーバにより構成し、ユーザ端末３０のブラウザから当該Webサーバにアクセスすることにより実現できる。
【００２８】
心理影響パラメータ係数取得部１２は、Ｓ１で取得したモードに対して、各心理影響要素の心理影響パラメータ係数（図３）を、記憶装置２０の心理影響パラメータ係数記憶部２１から取得する（Ｓ２）。  
例えば、Ｓ１で設定したモードがモードＡであれば、Ｓ２では、心理影響パラメータ係数として、このモードＡに対応する心理影響要素「集中度」の係数「0.6」、心理影響要素「眠気」の係数「0.5」、心理影響要素「落ち着き」の係数「0.2」、心理影響要素「疲労」の係数「0.9」が取得される。Ｓ１で他のモードが設定された場合についても同様である。
【００２９】
次に、心理影響パラメータテーブル取得部１３は、心理影響パラメータテーブル（図４）を記憶装置２０の心理影響パラメータテーブル記憶部２２から取得する（Ｓ３）。  
心理影響パラメータテーブルで定められる値は、他の色あるいは他の心理的影響要素との対比となるため、0〜100などと、値の範囲を規定しておく。値の決定方法についても特に限定はしないが、例えば被験者実験により、実際の照明機器を使って幾つかの有彩色の照明光の環境を用意し、その色における被験者の心理影響を調査して決定してもよい。この時、年齢層や性別など被験者属性ごとに分けることにより、属性に応じた心理影響パラメータテーブルを用意することができる。
【００３０】
次に、生体影響度算出部１４は、Ｓ３で取得した心理影響パラメータテーブルにおける、各照明光色に対する心理的影響要素に関わる数値に対し、Ｓ２で取得した心理影響パラメータ係数を乗じて、照明光色毎に合計を心理影響度（生体影響度）として算出する（Ｓ４）。  
図５および図６は、本発明の一実施形態に係る照明光色制御システムで用いる心理影響パラメータテーブルの値に心理影響パラメータ係数を乗じて合計を算出した例を表形式で示す図である。図５は、心理影響パラメータテーブルにおける値に、モードＡの心理影響パラメータ係数を各心理影響要素について乗じて、合計を心理影響度として算出した例を示し、図６は、心理影響パラメータテーブルにおける値にモードＢの心理影響パラメータ係数を各心理影響要素について乗じて、合計を心理影響度として同様に算出した例を示す。なお、図５、６では、「Color#1」から「Color#4」についての算出結果のみを示す。
【００３１】
例えば、Ｓ１でモードＡが設定され、Ｓ２で、心理影響パラメータ係数として、このモードＡに対応する心理影響要素「集中度」の係数「0.6」、心理影響要素「眠気」の係数「0.5」、心理影響要素「落ち着き」の係数「0.2」、心理影響要素「疲労」の係数「0.9」が取得されていた場合、生体影響度算出部１４は、「Color#1」について、以下の（１）〜（４）で求めた値の合計「114.7」（図５のＡ１参照）を求め、このような計算を「Color#2」、「Color#3」、「Color#4」などについても行なう。Ｓ１で他のモードが設定された場合についても同様である。
【００３２】
（１）モードＡの心理影響要素「集中度」の心理影響パラメータ係数「0.6」に、心理影響パラメータテーブル上の「Color#1」に対応する心理影響要素「集中度」の値「43」を乗じた値「25.8」
（２）モードＡの心理影響要素「眠気」の心理影響パラメータ係数「0.5」に、心理影響パラメータテーブル上の「Color#1」に対応する心理影響要素「眠気」の値「45」を乗じた値「22.5」
（３）モードＡの心理影響要素「落ち着き」の心理影響パラメータ係数「0.2」に、心理影響パラメータテーブル上の「Color#1」に対応する心理影響要素「落ち着き」の値「53」を乗じた値「10.6」
（４）モードＡの心理影響要素「疲労」の心理影響パラメータ係数「0.9」に、心理影響パラメータテーブル上の「Color#1」に対応する心理影響要素「疲労」の値「43」を乗じた値「55.8」
照明光色抽出部１５は、Ｓ４で算出した、各照明光色の合計を比較し、最大の値に対応する１つの色を優位な照明光色、つまり、設定されたモードに適した照明光色として抽出する（Ｓ５）。
【００３３】
図５に示した算出結果（各照明色に対応する合計値「114.7」、「105.4」、「99.1」、「101.4」）に従う場合、「114.7」に対応する「Color#1」が優位な照明光色として抽出される。  
また、図６に示した算出結果（各照明色に対応する合計値「98.0」、「55.8」、「96.1」、「98.2」）に従う場合、「Color#4」に対応する合計値が「98.2」（図５のＡ２参照）であり、各照明色に対応する合計値の中で最大であるが、「Color#1」に対応する合計値が「98.0」（図５のＡ３参照）であり、上記の「Color#4」の合計値に近い。  
このように、各照明色に対応する合計値の中に最大の値と、この最大の値に近い値とがある場合は、図６に示した例では、照明光色抽出部１５は、「Color#4」と「Color#1」の２つの色を優位な照明光色として抽出してもよい。また、合計値の近さの基準については任意に設定してよい。
【００３４】
図７は、本発明の一実施形態に係る照明光色制御システムで用いる照明光色RGBテーブルの一例を表形式で示す図である。この照明光色ＲＧＢテーブルは、心理影響パラメータテーブル（図４参照）で規定された各照明光色のそれぞれにおけるＲＧＢの値（Ｒ値、Ｇ値、Ｂ値）を定めたものである。
【００３５】
照明光色決定部１６は、Ｓ５で抽出された１つあるいは複数の優位な照明光色についての色情報、ここではＲＧＢの値を決定する（Ｓ６）。Ｓ５で抽出された照明光色が１つであれば、この当該照明光色のＲＧＢ値を照明光色ＲＧＢテーブルから求める。
【００３６】
例えば、図５に示した算出結果に従う場合は、上記のように最大の値「114.7」に対応する「Color#1」が優位な照明光色として抽出されており、この「Color#1」に照明光色ＲＧＢテーブルで対応するＲＧＢ値は（255, 0, 0）となる。
【００３７】
また、図６に示した算出結果に従う場合において、上記のように「Color#4」と「Color#1」の２つが優位な照明光色として抽出されたとすると、この「Color#4」に照明光色ＲＧＢテーブルで対応するＲＧＢ値は（128, 0, 0）であり、「Color#1」に照明光色ＲＧＢテーブルで対応するＲＧＢ値は上記のように（255, 0, 0）である。  
この場合、照明光色決定部１６は、これら２つのＲＧＢ値を勘案し、例えば、中間あるいは平均により例えば（192, 0, 0）を、優位な照明光色のＲＧＢ値とすることができる。
【００３８】
照明光色発光制御部１７は、Ｓ６で決定されたＲＧＢ値を照明機器４０に対して送信して、これを設定する（Ｓ７）。例えば、照明機器４０がECHONET Lite規格に対応した照明機器であれば、照明光色発光制御部１７は、Ｓ６で決定された該ＲＧＢ値をECHONET Lite制御コマンドに含めてネットワーク経由で送信する。
【００３９】
以上のように、本発明の一実施形態に係る照明光色制御システムは、有彩色の照明光を任意に設定可能な照明システムにおいて、照明光色に対して人が感じる心理的な状態や気分を利用して照明光の色（照明光色）を決定する。特に、このシステムは、人が求めるモードに対して、例えば集中度、眠気、落ち着き、疲労、といった各心理影響パラメータを利用して、このパラメータに対する照明光色との影響度合いに基づいて、照明光色を決定する。  
以上により、ユーザが求めるモードに応じて、照明機器の発行色を自動的に設定することが可能となるので、ユーザにとって適切な照明光色を設定することが可能になる。
【００４０】
（外部情報を用いた変形例）
上記の例では、心理影響パラメータ係数では、各モードに対する心理影響要素の重み付けを行なったが、あるモード（例えば、勉強モード）に対する心理影響要素の重み付けは１通りに限られず、ユーザ属性（年齢層や男女など）、ユーザの生体情報（体温、血圧など）、照明機器（照明機器４０）の利用に関わる環境（季節、屋内気温など）により、適切な値が存在しうる。  
また、心理影響パラメータテーブルでは、各照明色に対する心理影響要素に係る値の対応付けを行なったが、ある照明色に対する心理影響要素を人が感じる度合いを示す値は１通りに限られず、上記のユーザ属性、ユーザの生体情報、照明機器の利用に関わる環境により、適切な値が存在しうる。
【００４１】
そこで、例えば、記憶装置２０には、上記のユーザ属性、季節、屋内気温などのパターンに応じた心理影響パラメータ係数や心理影響パラメータテーブルを記憶しておき、Ｓ２やＳ３では、これらの心理影響パラメータ係数や心理影響パラメータテーブルを一括して取得しておく。また、上記のユーザ属性、ユーザの生体情報、照明機器の利用に関わる環境などを示す外部情報を外部情報記憶部２３に記憶しておく。この外部情報記憶部２３に記憶される外部情報は、上記のユーザ属性、ユーザの生体情報、照明機器の利用に関わる環境のうち１種類以上の情報でもすべての種類の情報であってもよく、特に限られない。
【００４２】
そして、Ｓ４において、生体影響度算出部１４は、制御対象の照明の利用に関わる、上記のユーザ属性、ユーザの生体情報、照明機器の利用に関わる環境などを示す外部情報を外部情報記憶部２３から取得する。
【００４３】
この取得した外部情報に基づいて、生体影響度算出部１４は、Ｓ２で取得した各種の心理影響パラメータ係数のうち、外部情報に応じた心理影響パラメータ係数を特定する。
【００４４】
また、上記の取得した外部情報に基づいて、生体影響度算出部１４は、Ｓ３で取得した各種の心理影響パラメータテーブルのうち、外部情報に応じた心理影響パラメータテーブルを特定する。
【００４５】
生体影響度算出部１４は、上記の特定した心理影響パラメータ係数および心理影響パラメータテーブルに基づいて、照明光色毎に合計を算出する。  
これにより、心理影響度をより適切に算出することができる。
【００４６】
なお、本発明は、上記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
【００４７】
また、実施形態に記載した手法は、計算機（コンピュータ）に実行させることができるプログラム（ソフトウエア手段）として、例えば磁気ディスク（フロッピー（登録商標）ディスク、ハードディスク等）、光ディスク（ＣＤ−ＲＯＭ、ＤＶＤ、ＭＯ等）、半導体メモリ（ＲＯＭ、ＲＡＭ、フラッシュメモリ等）等の記録媒体に格納し、また通信媒体により伝送して頒布することもできる。なお、媒体側に格納されるプログラムには、計算機に実行させるソフトウエア手段（実行プログラムのみならずテーブルやデータ構造も含む）を計算機内に構成させる設定プログラムをも含む。本装置を実現する計算機は、記録媒体に記録されたプログラムを読み込み、また場合により設定プログラムによりソフトウエア手段を構築し、このソフトウエア手段によって動作が制御されることにより上述した処理を実行する。なお、本明細書でいう記録媒体は、頒布用に限らず、計算機内部あるいはネットワークを介して接続される機器に設けられた磁気ディスクや半導体メモリ等の記憶媒体を含むものである。
【符号の説明】
【００４８】
１０…照明光色制御装置、１１…設定モード取得部、１２…心理影響パラメータ係数取得部、１３…心理影響パラメータテーブル取得部、１４…生体影響度算出部、１５…照明光色抽出部、１６…照明光色決定部、１７…照明光色発光制御部、２０…記憶装置、２１…心理影響パラメータ係数記憶部、２２…心理影響パラメータテーブル記憶部、２３…外部情報記憶部、２４…照明光色ＲＧＢテーブル記憶部、３０…ユーザ端末、４０…照明機器。
【図１】
2018142486.tif 000003
【図２】
2018142486.tif 000004
【図３】
2018142486.tif 000005
【図４】
2018142486.tif 000006
【図５】
2018142486.tif 000007
【図６】
2018142486.tif 000008
【図７】
2018142486.tif 000009